(57)【要約】      （修正有）【課題】在宅健康管理を委託する委託者の健康データ及び対応データによって自動的に健康診断がなされ、これらデータを個別医療機関で共有し、委託者の疾病発症時に迅速に活用し、医師の負担を軽減する在宅健康管理システムの提供。【解決手段】在宅委託者１の健康上のデータを測定する測定機器２と、該データを記憶装置３aに内蔵する在宅側端末機３とがインターネット経由で健康管理センター４のホストコンピュータ４aに接続され、該健康管理センター４からの応答データが在宅側端末機３に出力され、該ホストコンピュータ４aの記憶装置のファイルに各在宅委託者１が登録されるとともに、各在宅委託者１の在宅側端末機３の記憶装置３aに内蔵された前記データと本人特定データとから成る基礎データ及び応答データがホストコンピュータ４aのデータベース４bに蓄積され、該ホストコンピュータ４aのサーバーは個別医療機関５に通信回線を介して接続される。【選択図】図１
2009122814.tif 000002
【特許請求の範囲】
【請求項１】
在宅で健康管理を委託する在宅委託者の健康上のデータを測定する測定機器と、該測定機器で測定されたデータを記憶装置に内蔵する在宅側端末機とがインターネット上に構築された健康管理センターのホストコンピュータに接続され、該健康管理センターからの応答データ（問診データ含む）が在宅側端末機に出力され、該ホストコンピュータの記憶装置のファイルに各在宅委託者が登録されるとともに、各在宅委託者の端末機の記憶装置に内蔵された前記データと本人特定データとから成る基礎データ及び応答データがホストコンピュータの記憶装置のデータベースに蓄積され、該ホストコンピュータのサーバーが個別医療機関に通信回線を介して接続されて成る在宅健康管理システム。
【発明の詳細な説明】
【技術分野】
【０００１】
在宅委託者の健康管理上で必要なデータに基づいて健康診断をするとともに、該データ及び本人特定データから成る基礎データや診断に基づく応答データをホストコンピュータに蓄積して、在宅委託者の疾病時に診断する個別医療機関で広く活用できる在宅健康管理システムに関する。
【背景技術】
【０００２】
在宅医療システムとして、在宅での測定手段によって測定した健康上のデータが医療機関へ送られ、コンピュータによる自動診断や専門の医師によるチェックや必要な指示を受けることができる技術が特開平８−２７５９２７号公報（特許文献１）に開示されている。このほか、在宅での健康管理を医師側のコンピュータと在宅側のコンピュータを通信回線で接続することによって行うとする技術が特開平１０−２６１０３５号公報（特許文献２）、特開２００１−１７８６８８号公報（特許文献３）、特開２００２−１２３６１３号公報（特許文献４）、特開２００４−２２７２５０号公報（特許文献５）等多数提案されているが、健康管理上の細部に各種各様の差異を有するものの、一度在宅での健康管理を医療機関に委託した在宅委託者の健康上のデータ及び対応データが、疾病発症時に広く個別医療機関に有効に活用できていないものである。
【特許文献１】特開平８−２７５９２７号公報
【特許文献２】特開平１０−２６１０３５号公報
【特許文献３】特開２００１−１７８６８８号公報
【特許文献４】特開２００２−１２３６１３号公報
【特許文献５】特開２００４−２２７２５０号公報
【発明の開示】
【発明が解決しようとする課題】
【０００３】
本発明は、在宅で健康管理を委託する在宅委託者の健康上のデータ及び対応データ（問診による結果を含む）によって自動的に健康診断がなされる上、これらのデータを広く個別医療機関で即時に共有でき、該在宅委託者の疾病発症時に迅速に活用でき、疾病対策が効率的に図られる上、医師の負担が軽減されるとともに医療費の削減に寄与できる在宅健康管理システムを提供する。
【課題を解決するための手段】
【０００４】
本発明の請求項１に記載した在宅健康管理システムは、在宅で健康管理を委託する在宅委託者の健康上のデータを測定する測定機器と、該測定機器で測定されたデータを記憶装置に内蔵する在宅側端末機とがインターネット上に構築された健康管理センターのホストコンピュータに接続され、該健康管理センターからの応答データ（問診データ含む）が在宅側端末機に出力され、該ホストコンピュータの記憶装置のファイルに各在宅委託者が登録されるとともに、各在宅委託者の在宅側端末機の記憶装置に内臓された前記データと本人特定データとから成る基礎データ及び応答データがホストコンピュータの記憶装置のデータベースに蓄積され、該ホストコンピュータのサーバーが個別医療機関に通信回線を介して接続されて成る。
【発明の効果】
【０００５】
本発明の在宅健康管理システムによれば、在宅委託者が在宅で自己の健康管理が手軽に行われ、病気の予防は勿論のこと疾病の早期発見に効果的な健康管理システムにおいて、在宅委託者の疾病発症時の診断に際し、個別医療機関が健康管理センターのホストコンピュータのサーバーにアクセスすることにより、在宅委託者の健康上のデータを即時に入手できるから、個別医療機関での労力が軽減されるとともに個別医療機関相互の連係も密となって病気治療の効率化が図られ、医療費削減に寄与できる効果がある。
【発明を実施するための最良の形態】
【０００６】
本発明における在宅委託者側に設置される測定機器は、各種多種に及ぶものから多機能ロボットから成るものをも含む。また、広く複数の個別医療機関から健康管理センターのサーバーにアクセスするための登録番号は、被保健者証番号や特定の識別番号等である。健康管理上の必要なデータとは体重、身長、血圧、心電図、脈拍、血糖値ほか血液によるコレステロール値や肝機能値などの諸主要値などであり、これらのデータは自動的に多機能ロボットで測定されるものから各種多種の測定機器で自動或いは手動によって測定されるものであり、自動測定の場合は在宅委託者側の在宅側端末機の記憶装置に内蔵される。妊娠の有無、既往症の有無、飲酒・喫煙の有無その細部等に関しては、在宅側端末機のディスプレイに表示される問診表によって手動入力される。これに本人特定データとして住所、氏名、性別、年齢、被保健者証番号（識別番号等）が加えられて基礎データとされる。
【実施例】
【０００７】
本発明の在宅健康管理システムＡを一実施例により説明すると、図１に示すように、在宅で健康管理を委託する在宅委託人１の健康管理上必要なデータを測定する測定機器２があり、該測定機器２で測定された体重、身長、血圧、心電図、脈拍、血糖値ほか血液で調べる諸主要値及び手動応答で選択される妊娠の有無、既往症の有無等のデータのほか、本人特定データとしての住所、氏名、性別、年齢、登録番号としての被保健者証番号（識別番号等）などの基礎データの記憶装置３aがあり、該記憶装置３aを内蔵する在宅側端末機３と前記測定機器２とがインターネットＩに構築された健康管理センター４のホストコンピュータ４aに接続され、医療専門家（医師等）によって作成された問診表（図外）が在宅側端末機３のディスプレイ３bに表示され、応答ボタン（図外）をクリックすることで健康上の生活状況や生活習慣情報が入力され、その情報に基づき、診断結果及び健康上のアドバイス、食事療法指導、生活態度指導等の応答データが通信回線Ｔを介して在宅側端末機３に送信されるとともに、ホストコンピュータ４の記憶装置４aのデータベース４bに蓄積される。前記の基礎データと応答データによって疾病ある場合には、個別医療機関（大学付属病院や専門病院等）５、処方箋、療養対策指導、配合忌避投薬防止、本人に不適当な投薬禁止等の疾病対策要件情報が前記と同様に通信回線Ｔを介して送信され、同時にこれらのデータもホストコンピュータ４のデータベース４bに蓄積される。
【０００８】
このような在宅健康管理システムＡであるから、外出するには体力的に無理な高齢者や外出に時間のかかる遠隔地の者、多忙な者にとって在宅で健康管理が手軽になされる上、疾病ある場合に疾病対策要件情報に基づき個別医療機関５を訪ねたときに、該個別医療機関５の端末機５aから被保健者証番号等の登録番号によってホストコンピュータ４aのサーバーにアクセスでき、医師は外来者の各人の基礎データ及び応答データをディスプレイ５bにより確認でき、医師の労力が軽減されるとともに、精密検査等の段取りが早まり医療費の削減ともなる。
健康管理（健康診断）の検査項目は高血圧をチェックする血圧の測定、肥満を調べるための身長と体重の測定、糖尿病に関する糖負荷試験、肺がんや食道がんと関連する飲酒と喫煙に関する問診、うつ病を調べる問診等である。このほか、ペットの健康管理にもこの在宅健康管理システムＡは応用され得る。
さらに、本発明の在宅健康管理システムＡにおいて、健康管理センター４のホストコンピュータ４aに個別介護機関の端末機（図外）を接続すれば、在宅委託者１の健康状態が個別介護機関側で把握できるから高齢者の介護に極めて有用である。
なお、在宅委託者１の健康上のデータを測定する測定機器２は、リースのものであったり、リース業者或いは介護業者の持込むものなどである。
【産業上の利用可能性】
【０００９】
本発明によれば、在宅での健康管理に資する測定機器メーカー及び医師の労力軽減や医療費削減の点で各個別医療機関においてその需要が大いに期待される。
【図面の簡単な説明】
【００１０】
【図１】本発明の在宅健康管理システムＡの概略説明図。
【符号の説明】
【００１１】
１：在宅委託者
２：測定機器
３：在宅側端末機
３a：記憶装置
３b：ディスプレイ
４：健康管理センター
４a：ホストコンピュータ
４b：データベース
５：個別医療機関
５a：端末機
５b：ディスプレイ
Ｉ：インターネット
Ｔ：通信回線
Ａ：在宅健康管理システム
【図１】
2009122814.tif 000003